(57)【要約】【課題】シーブ対に起伏ワイヤーを掛け回す工程が不要であり、それによってクレーンの組み立てに要する時間と解体に要する時間を短縮する。【解決手段】直線動力装置を用いてクレーンのジブを起伏させる機構を備えたジブクレーンについて、クレーンのジブ１５を基部にてクレーンの旋回フレーム１２に起伏可能に軸支するとともに、旋回フレーム上にはガントリーを設置し、上記ジブを起伏させる起伏ロープ２１の一端部を上記ジブの適所に結合する一方、起伏ロープの他端部をガントリー上のシーブを介して旋回フレーム側へ引き込み、ガントリーを設けた旋回フレームのジブとは反対側の位置に直線動力装置２６を縦方向に配置するとともに、上記起伏ロープの他端部を直線動力装置の移動部に結合する。【選択図】          図１
0003149118.tif 000002
【実用新案登録請求の範囲】
【請求項１】
直線動力装置を用いてクレーンのジブを起伏させる機構を備えたジブクレーンであって、
クレーンのジブを基部にてクレーンの旋回フレームに起伏可能に軸支するとともに、旋回フレーム上にはガントリーを設置し、
上記ジブを起伏させる起伏ロープの一端部を上記ジブの適所に結合する一方、起伏ロープの他端部は、ガントリー上のシーブを介して旋回フレーム側へ引き込み、
ガントリーを設けた旋回フレームのジブとは反対側の位置には直線動力装置を縦向きに配置するとともに、上記起伏ロープの他端部を直線動力装置の移動部に結合した
ジブクレーン。
【請求項２】
直線動力装置は油圧シリンダー装置であり、その装置本体を旋回フレームに取り付け、ピストンの側に起伏ロープの他端部を結合した請求項１記載のジブクレーン。
【請求項３】
直線動力装置はボールねじであり、そのねじ軸を旋回フレームに取り付け、ねじ軸のロープ取り付け部に起伏ロープの他端部を結合した請求項１記載のジブクレーン。
【考案の詳細な説明】
【技術分野】
【０００１】
本考案は、直線動力装置を用いて、クレーンのジブを起伏させる機構を備えたジブクレーンに関するものである。
【背景技術】
【０００２】
主に建設工事に使用される仮設の建設工事用ジブクレーンは、ジブの旋回と起伏によって吊り荷の平面移動を行う。なお、ジブはブームとも呼ばれる。このような建設工事用ジブクレーンは工事の着工に合わせて組み立てられ、ないしは工事の終了に合わせて解体されることを繰り返すものである。ジブクレーンの起伏方法として、従来はワイヤーロープによる方法が一般的であり、また普及している。このワイヤーロープは起伏ウインチによって駆動され、荷重に耐えるために何段ものシーブ対に掛け回す構造であり、その装着と取り外しを工事の進行に応じて実行して来た。このため、
ア． 高所でのワイヤーロープ仕込み作業に危険が伴う、
イ．作業時間が長時間（標準作業で約１時間以上）となる、
ウ．シーブのグリスアップ、ワイヤーロープの点検等メンテナンスに手間がかかる、
という大きな問題があった。
【０００３】
これに対して、実開平５−４６８７６号、特開２００５−８３３４号或いは特開２００５−１２６２２８号などは、ジブを、油圧シリンダー装置によって直接起伏させる技術を開示している。また、これらの先行技術はいずれもジブを、直接、油圧シリンダー装置によって支えるとともに、起伏させる構成を取る点において一致しており、その構成によって、上記したような問題を、一応は解消することができると考えられる。しかしながら、このようにジブを、直接、油圧シリンダー装置によって支える構成を取る場合、油圧シリンダー装置に掛かる負担が増し、特にジブの角度が浅くなるほど、ジブの長さが長いものほど顕著になると推測される。従って、提案としてはともかく、実際の装置として有用であるかどうかは疑問である。
【０００４】
【特許文献１】実開平５−４６８７６号
【特許文献２】特開２００５−８３３４号
【特許文献３】特開２００５−１２６２２８号
【考案の開示】
【考案が解決しようとする課題】
【０００５】
本考案は前記の点に着目してなされたもので、その課題は、シーブ対に起伏ワイヤーを掛け回す工程が不要であり、それによってクレーンの組み立てに要する時間と解体に要する時間を短縮することができるジブクレーンを提供することである。
【課題を解決するための手段】
【０００６】
前記の課題を解決するため、本考案は、直線動力装置を用いて、クレーンのジブを起伏させる機構を備えたジブクレーンについて、クレーンのジブを基部にてクレーンの旋回フレームに起伏可能に軸支するとともに、旋回フレーム上にはガントリーを設置し、上記ジブを起伏させる起伏ロープの一端部を上記ジブの適所に結合する一方、起伏ロープの他端部は、ガントリー上のシーブを介して旋回フレーム側へ引き込み、ガントリーのジブとは反対側の旋回フレームに直線動力装置を配置するとともに、上記起伏ロープの他端部を直線動力装置の移動部に結合するという手段を講じたものである。
【０００７】
上記の構成を有する本考案の装置では、直線動力装置を用いることが前提である。直線動力装置としては、１方向又は２方向に動く部分を有するもの、いわゆる単動シリンダーは１方向に動く部分を有するものであり、複動シリンダーは２方向に動く部分を有するものであるから、どちらもこの装置として適切なものである。従って、単動シリンダーを往復２セット分前後逆に配置することもあり得る。また、大荷重が予想される場合などは、複動機関を複数セット設けることにより高荷重の負担に耐えられるようにすることも可能である。
【０００８】
本考案の装置では、クレーンのジブを基部にて、旋回フレームに起伏可能に軸支するとともに、旋回フレーム上にはガントリーを設置する。旋回フレームはジブ及びガントリーを設置するための基盤になるものであり、それらの設置部分として必要な大きさ、強度を有していることは当然のことである。
【０００９】
また、旋回フレームは、ポストないしはマストなどと通称されている塔状構造体の上に設置されるものと考えても良いが、そのような構造体との組み合わせでなければならない訳ではない。旋回フレーム上にはガントリーを上記のジブとともに設置する。ガントリーには、ジブの先端のシーブから引き込まれる、フックブロック操作用巻き上げロープの巻き上げ及び繰り出しのためのシーブ等が取り付けられる。
【００１０】
本考案の装置では、さらに、ジブを起伏させる起伏ロープの一端部を上記ジブの適所に結合する一方、起伏ロープの他端部は、上記ガントリー上のシーブを介して旋回フレーム側へ引き込む。従って、起伏ロープの先端はジブの先端シーブ側に結合してフックブロック等に掛かる吊り荷重を負担することができ、従来のようにジブの基部を油圧シリンダー装置によって直接支える必要がないので、ジブの仰角が小さい水平ないしは水平に近い状態においても油圧シリンダー装置に掛かる荷重負担が極端に変わることはない。
【００１１】
上記ガントリーを設けた旋回フレームのジブとは反対側の位置に、直線動力装置を縦向きに配置するとともに、上記起伏ロープの他端部を直線動力装置の移動部に結合する。この配置によって、ジブと直線動力装置は、間にガントリーを挟んで対置される配置になるので、ジブ全体を先端側結合部にて支える構成を取ることになり、従来のようにジブの基部を油圧シリンダー装置によって直接支える構成を取るものと比較して極めてバランスが良い。
【００１２】
上記直線動力装置としては、油圧装置に代表されるシリンダー装置を適用することができる。本考案はそのようなシリンダー装置を使用するに当たり、装置本体は、旋回フレーム又は旋回フレームに設置したガントリーなどの構造体に取り付け、ピストンの側に起伏ロープの他端部を結合する。
【００１３】
上記のシリンダー装置に代表される直線動力装置に加えて、さらに、ボールねじを使用することも可能である。直線動力装置にボールねじを適用する場合、その回転ねじ軸を旋回フレーム又はガントリーなどの構造体に取り付け、回転ねじ軸と螺合するナットの側に起伏ロープの他端部を結合する。
【考案の効果】
【００１４】
本考案は以上のように構成されかつ作用するものであるから、シーブ対に起伏ワイヤーを掛け回す工程が不要であり、それによってクレーンの組み立てに要する時間と解体に要する時間を短縮することができるジブクレーンを提供することができる。また、本考案によれば、従来のようにジブの基部を油圧シリンダー装置によって直接支える必要がないので、仰角が水平ないしは水平に近い状態においても、油圧シリンダー装置に掛かる荷重負担が極端に変わることがなく、かつまた、ジブの基部を油圧シリンダー装置によって直接支える構成を取るものと比較して極めてバランスの良いジブクレーンを提供することができる。
【考案を実施するための最良の形態】
【００１５】
以下図示の実施形態を参照して本考案をより詳細に説明する。図１は本考案に係るジブクレーン１０の例示であり、１１はポスト、１２は旋回フレームであって、ポスト１１の上端に旋回機構１３を介して設置されている。旋回フレーム１２には、ジブクレーンのジブ１５がその基部１４にて軸示されており、図示のジブ１５は一定の長さを有する横長の部材から成る。よって、上記旋回機構１３部分による水平移動と後述する起伏動作を組み合わせて、ジブ１５の先端部１６を、設定範囲において任意の位置に移動させることができる。
【００１６】
ジブ先端部１６には、フックブロック１７の操作用巻き上げロープ１８の巻き上げ及び繰り出しのためのシーブ１９が取り付けられている。巻き上げロープ１８は旋回フレーム１２に設置された後述するガントリー上のシーブ２２を介して巻き上げウインチ２０に引き込まれている。ジブ先端部１６には、起伏ロープ２１の一端部２１ａを結合しており、一方、起伏ロープ２１の他端部２１ｂは、後述するガントリー上のシーブ２５を介して旋回フレーム側へ引き込まれている。
【００１７】
上述のガントリー２３は、旋回フレーム１２の、ジブ取り付け部側にジブ１５に対して後方へ傾斜した状態で下端を固定して取り付けた部材を有し、旋回フレーム１２のジブ取り付け部とは反対側の位置にはサポート２４の構成部材が立てられており、かつガントリー２３とサポート２４の各構成部材は上端にて結合され、旋回フレーム１２を底辺とする三角形から成る支持体を構成している。三角形から成る支持体は、ジブ１５の荷重に耐えるべく、さらにそれを一対組み合わせて強固な構造体を構成している。
【００１８】
図１の例における直線動力装置２６としては、油圧シリンダー装置が旋回フレーム１２に立設された、上記の強固なガントリーサポート構造体に縦向きに配置されている。２７は移動部としてのピストン、２８はロープ結合部、２９は直線動力装置取り付け部材を示す。ロープ結合部２８は直線動力装置２６の移動部２７である油圧シリンダー装置のピストンに取り付けられており、そこに、ガントリー上のシーブ２５を介して旋回フレーム側へ引き込まれた、起伏ロープ２１の他端部２１ｂが結合されている。
【００１９】
図２に示すように、直線動力装置２６は上記の強固なガントリーサポート構造体に、揺動式に取り付けることができる。図２の例では、旋回フレーム１２の、上記のジブ１５とは反対側の位置に設定された取り付け部３１に、ボルト３２を用いて軸受け３０を取り付け、軸受３０の耳金に直線動力装置２６の下端の耳金を配置し、それらの軸孔に取り付け軸３３を差し込み、直線動力装置２６の旋回フレーム１２への取り付けを行っている。
【００２０】
さらに、図３に示すように、ボールねじから成る直線動力装置３５を使用することも可能である。直線動力装置３５としてボールねじを適用する場合、そのねじ軸３４を旋回フレーム又はガントリーなどの構造体に取り付け、ねじ軸３４の先端部に取り付けたロープ結合部３６の側に起伏ロープ２１の他端部２１ｂを結合する。
【００２１】
ボールねじは、例えば図４に示されているような構造を有し、ボール３４ａが充填されたねじ溝３４ｂを有するねじ軸３４と、ねじ軸３４を通したボールナット３４ｃ及びボール３４ａを循環させるコマ３４ｄから成る。ねじ軸３４はギヤボックス３７に接続されており、モーター３８によって駆動される（図３）。他の構成については図１の例と同様で良いので、符号を援用し、詳細な説明は繰り返さない。
【００２２】
このように構成されている本考案のジブクレーン１０は、図示していない操作制御装置における操作によってジブ１５を旋回させ、かつまた起伏させることができる。起伏のための操作には、直線動力装置２６又は３５を動作させて行い、例えば、直線動力装置２６のピストン２７を図１の状態からシリンダー装置内部へ引き込む方向へ移動させることによってジブ１５を起立側へ動かし、逆にシリンダー装置から押し出す方向へ移動させることによってジブ１５を伏せる側へ動かすことができる。ねじ軸３４を用いる直線動力装置３５についても動作は同様であり、モーター３８の始動によってねじ軸３４が上下動し、それに伴って起伏ロープ２１繰り出しと巻き取りが行われ、ジブ１５の起伏角度を変更することができる。
【００２３】
本考案のジブクレーンは１０上記の構成を有するので、全体が起伏ロープ２１によって先端から起立方向へ吊り下げられた状態にあるジブ１５は、フックブロック１７に掛かっている吊り荷の荷重をガントリーの後方へ分散して全体のバランスを保つことができる。特に直線動力装置２６、３５を用いる本考案の場合、それがジブクレーン１０の後方に位置するので、従来必要とされたロープが不要になることによって、ジブ１５の前方荷重を大幅に改善することができる。
【００２４】
このように本考案の装置は、ワイヤーロープを何段ものシーブ対に掛け回す構造を取ることなく直接直線動力装置２６、３５に結合し、直接直線動力装置２６、３５の作動によってジブクレーン１０の起伏動作を行うものであるから、
あ．高所でのワイヤーロープ仕込み作業が不要になり、
い．従来約１時間を要した作業時間が数分と著しく短縮され、
う．シーブのグリスアップ、ワイヤーロープの点検等メンテナンスが最小限度で済み、
え．ジブクレーンのバランスを改善し、
高所での作業を短時間で安全に実行することができるという利点を発揮するものである。
【図面の簡単な説明】
【００２５】
【図１】本考案に係るジブクレーンの一例を示す斜視図である。
【図２】同上における直線動力装置取り付け部の説明図である。
【図３】同じくジブクレーンの他の例を示す斜視図である。
【図４】ボールねじの例を一部破断して示す斜視図である。
【符号の説明】
【００２６】
１０  ジブクレーン
１１  ポスト
１２  旋回フレーム
１３  旋回機構
１４  基部
１５  ジブ
１６  先端部
１７  フックブロック
１８  巻き上げロープ
１９、２２、２５  シーブ
２０  巻き上げウインチ
２１  起伏ロープ
２３  ガントリー
２４  サポート
２６、３５  直線動力装置
２７  ピストン
２８、３６  ロープ結合部
２９  直線動力装置取り付け部材
３０  軸受
３１  取り付け部
３２  ボルト
３３  取り付け軸
３４  ねじ軸
３７  ギヤボックス
３８  モーター
【図１】
0003149118.tif 000003
【図２】
0003149118.tif 000004
【図３】
0003149118.tif 000005
【図４】
0003149118.tif 000006